(57)【特許請求の範囲】
【請求項１】
ロールボックスパレットに載せる物品を拘束する拘束具であって、
ロールボックスパレットの内側の一の面壁枠に沿って取り付けられる後側パネルと、後側パネルの前面に設けられていて前後に伸縮動作するリンク機構と、リンク機構を介して後側パネルに連結された前側パネルとからなる本体部と、
前記本体部の両側部に設けられた係留部に両端部をそれぞれ接続させて前記前側パネルの前方に掛け回されるベルト部を備えていて、
前記本体部が、後側パネルに設けられたフックをロールボックスパレットの壁枠の横桟に掛合させて、背面壁枠又は左右側面壁枠に着脱自在に設けられた構成を有することを特徴とする物品拘束具。
【請求項２】
前側パネルの前面に緩衝材が一体に固定されてなる請求項１に記載の物品拘束具。
【請求項３】
背面壁枠の内側に請求項１又は２に記載の物品拘束具が取り付けられたロールボックスパレット。
【請求項４】
請求項３に記載のロールボックスパレットに物品を収納するにあたり、
前記リンク機構を操作して後側パネルに対する前側パネルの張り出し位置を調整し、ロールボックスパレットの底板の中央に物品を載せた際に当該物品の背面に前記前側パネルが当接する位置で前側パネルを位置固定し、
前記底板に物品を載せた後、前記本体部の係留部に両端部を接続させたベルト部を物品の周囲に掛け回すとともに、前記前側パネルに物品を緊縛することにより底板上に物品を拘束する物品の固定方法。
【発明の詳細な説明】
【技術分野】
【０００１】
本発明は、ロールボックスパレットに載せる物品を当該パレット内の所定の位置に固定するための物品拘束具に関する。
【背景技術】
【０００２】
一つ又は複数口の比較的小さな荷物を個人宅に荷物配送する形態として、荷主の戸口から届け先の戸口まで配達する宅配便が広く利用されているが、例えば事業主が装置や機材といった比較的大きな貨物や部品などの中ロット貨物を配送に供する場合は、依頼主先にロールボックスパレットを持ち込んで配送する貨物を積込み、このロールボックスパレットを輸送途中で貨物の積み替えを行うことなく受取主先まで配送し、受取主先で積込まれた貨物を引き渡す配送形態、つまり一台のロールボックスパレットを一つの輸送単位とした貨物の配送形態を利用するのが一般的である（例えば特許文献１参照）。
【０００３】
また、物品を固定して輸送するためのラックとして、ラックの底板上に複数配置した緩衝材で物品の下部周面を支持するとともに物品の両側を結束ベルトで保持することにより、物品が底板の中央に位置固定されるように構成された輸送用ラックが知られている（例えば特許文献２参照）。
【先行技術文献】
【特許文献】
【０００４】
【特許文献１】特開２０１１−２０７５９３号公報
【特許文献２】特開２００９−１０２０５０号公報
【発明の概要】
【発明が解決しようとする課題】
【０００５】
建材などの長尺物やコピー機などの重量物を配送物品としてロールボックスパレットに積み込む場合、物品がロールボックスパレットの底板上の前後左右の偏った位置に載っていると、ロールボックスパレットに物品の偏荷重がかかって傾いたり倒れたりする危険があるため、前記物品の積み込みは、ロールボックスパレットの底板中央に載るように物品の位置を調整して固定し、さらに配送中に物品の積み込み位置がずれないように物品の周囲に緩衝材などの梱包資材を装填して行っている。
【０００６】
この場合に、ロールボックスパレットに物品の偏荷重がかからないように、物品を載せる位置を調整し固定することは必要不可欠であるが、物品の位置の調整や固定する作業、さらには固定した物品の周囲に梱包資材を装填する作業は時間を要して面倒であり、受取主先での物品を取り出しにも時間と手間を要し、また、ロールボックスパレットに積み込む物品のサイズや形状に沿った梱包資材を取り揃えなければならないため、配送コストが嵩んでしまうという問題があった。
【０００７】
本発明は従来の技術の有するこのような問題点に鑑み、長尺物や重量物などのサイズの異なる物品であっても、ロールボックスパレットの底板に載せる位置を簡易な操作で正確に調整することができるとともに、底板上の当初の積み込み位置に物品を安定的に固定したまま配送できるようにすることを課題とする。
【課題を解決するための手段】
【０００８】
前記課題を解決するため本発明の物品拘束具は、ロールボックスパレットに載せる物品を拘束する拘束具であって、ロールボックスパレットの内側の一の面壁枠に沿って取り付けられる後側パネルと、後側パネルの前面に設けられていて前後に伸縮動作するリンク機構と、リンク機構を介して後側パネルに連結された前側パネルとからなる本体部と、前記本体部の両側部に設けられた係留部に両端部をそれぞれ接続させて前記前側パネルの前方に掛け回されるベルト部を備えた構成を有することを特徴とする。
【０００９】
前記構成の物品拘束具において、前側パネルの前面に、弾性を有する板材などの緩衝材が一体に固定してあることが好ましい。
また、本体部が、後側パネルに設けられたフックをロールボックスパレットの壁枠の横桟に掛合させて、背面壁枠又は左右側面壁枠に着脱自在に設けてあることが好ましい。
【００１０】
また、本発明のロールボックスパレットは、その背面壁枠の内側に前記構成の物品拘束具を取り付けた構成を有することを特徴とする。
かかるロールボックスパレットに物品を収納する手順は、先ず、物品拘束具のリンク機構を操作して後側パネルに対する前側パネルの張り出し位置を調整する。このとき、ロールボックスパレットの底板の中央に物品を載せた際に、当該物品の背面に前記前側パネルが当接する位置となるように前側パネルの位置を調整して前記当接位置で固定する。
次いで、ロールボックスパレットの底板に物品を載せ、その後、物品拘束具の本体部両側の係留部に両端部を接続させたベルト部を物品の周囲に掛け回すとともに、前記前側パネルに物品を緊縛することにより、ロールボックスパレットの底板上に物品を拘束して物品を固定することができる。
【発明の効果】
【００１１】
本発明によれば、長尺物や重量物、サイズの異なるこれらの物品であっても、物品拘束具を操作してロールボックスパレットの底板中央部の載置位置に簡単且つ正確に位置決めし、底板上に載せた物品をベルト部で緊縛して当初の積み込み位置に安定的に固定して配送に供することができる。
簡易な操作でロールボックスパレットの底板中央に物品を積み込んで固定することができるので、ロールボックスパレットに物品の偏荷重がかかるようなことはなく、また、物品の積み込みや取り出す作業に手間がかからず、積み込む物品のサイズや形状に応じた梱包資材も不要となり、本発明はロールボックスパレットを一つの輸送単位とした貨物の配送形態における配送コストの低減に大きく寄与するものである。
【図面の簡単な説明】
【００１２】
【図１】本発明の物品拘束具を取り付けたロールボックスパレットの外観図である。
【図２】図１の物品拘束具の本体部の側面図である。
【図３】本体部を構成する後側パネルの正面図、平面図及び側面図である。
【図４】本体部を構成する前側パネルの正面図、平面図及び側面図である。
【図５】リンク機構を構成するステーの正面図と側面図である。
【図６】（Ａ）〜（Ｄ）は本体部のリンク機構の伸縮動作を説明するための図である。
【図７】図１の物品拘束具のベルト部の概略外観図である。
【図８】図１のロールボックスパレットにおける物品を積み込み前の状態の外観図である。
【図９】図１のロールボックスパレットに積み込んだ物品を物品拘束具で固定した状態の外観図である。
【発明を実施するための形態】
【００１３】
本発明の好適な一実施形態を、図面を参照して説明する。
図１は、本発明の物品拘束具を取り付けたロールボックスパレットの外観を示しており、このロールボックスパレット１は、下面にキャスター１１が取り付けられた底板１２の周辺を正面壁枠（図示せず）、左右側面壁枠１３，１４及び背面壁枠１５で囲って底板１２上に物品収納空間を形成してなり、前記背面壁枠１５の内側に物品拘束具２を取り付けてある。
【００１４】
物品拘束具２は、図１及び図２に示されるように、前記背面壁枠１５に着脱自在に取り付けられる後側パネル３１と、後側パネル３１の前面に並置した前側パネル３２を前後に伸縮動作するリンク機構３３を介して連結してなる本体部３と、両端部を本体部３の両側端部にそれぞれ接続させて本体部３の前方に掛け渡した二本のベルト部４，４を備えて構成してある。
【００１５】
詳しくは、本体部３を構成する後側パネル３１は、図３に示されるように、管材を横長矩形枠状に組み合わせて前記背面壁枠１５と略同じ幅に形成されており、その上部後面には背面壁枠１５の横桟１５ａに掛合する複数の引っ掛けフック３１ａを一体に設け、また、その前面左右両側には、後述するステー３３ａ，３３ａとともにリンク機構３３を構成するスライドブラケット３３ｂと軸ブラケット３３ｃをそれぞれ一体に突設させてある。
【００１６】
本体部３を構成する前側パネル３２は、図４に示されるように、前記後側パネル３１と同様に、管材を横長矩形枠状に組み合わせて後側パネル３１と同寸法に形成されており、その前面には発泡ポリプロピレンなどの弾性素材により板状に形成された緩衝材３２ａを一体に固定してあり、その両側部にはそれぞれ後述するベルト部４，４の端部が接続する半リング形の係留部３２ｂ，３２ｂを一体に設けてある。また、前側パネル３２の後面左右両側には、前記後側パネル３１の前面側と同様に、スライドブラケット３３ｂと軸ブラケット３３ｃをそれぞれ一体に突設させてある。
【００１７】
本体部３を構成するリンク機構３３は、計４本のステー３３ａと、前記の如く前後のパネル３１，３２の左右にそれぞれ取り付けられたスライドブラケット３３ｂ，３３ｂと、軸ブラケット３３ｃ，３３ｃとにより構成されている。
ステー３３ａは、図４に示されるように、断面コ字状のアングル材に所定の間隔を開けて複数の通孔、具体的には同図に示されるように、ステー３３ａの中央に通孔３３ａ１、両端に通孔３３ａ２，３３ａ３、中央の通孔３３ａ１と端部の通孔３３ａ３の間に複数の通孔３３ａ４，３３ａ５，３３ａ６を設けて形成してある。
スライドブラケット３３ｂは、図３に示されるように、その面内に長手方向に沿って伸びた長孔３３ｂ１と、当該長孔に沿って前後に若干位置をずらして配置した四つの通孔３３ｂ２〜３３ｂ５を設けて形成してある。軸ブラケット３３ｃにもステー３３ａの端部を軸支する孔３３ｃ１を形成してある。
【００１８】
かかるリンク機構３３は、二本のステー３３ａ，３３ａをその中央の通孔３３ａ１，３３ａ１同士を回転自在に軸支してＸ字形に交差させ、これを前記前後のパネル３１，３２の左右両側にそれぞれ配置するとともに、Ｘ字形に交差したステー３３ａ，３３ａの一側の端部の通孔３３ａ２、３３ａ２を前後のパネル３１，３２の軸ブラケット３３ｃ，３３ｃに回転自在に軸支し、また、他側の端部の通孔３３ａ３，３３ａ３を前後のパネル３１，３２のスライドブラケット３３ｂ，３３ｂの長孔３３ｂ１，３３ｂ１に回転自在に軸支して、後側パネル３１の前面と前側パネル３２の後面間に取り付けてある。
【００１９】
そして、リンク機構３３は、Ｘ字形に交差したステー３３ａ，３３ａの中央の軸部Ｌａ（図１参照）を支点にその交差角度を変えることにより、図６に示されるように、後側パネル３１の前面で、前後のパネル３１，３２を平行に保ったまま前後に伸縮動作して、後側パネル３１に対する前側パネル３２の張り出し位置を変えることができ、また、ステー３３ａ，３３ａを伸縮動作させる過程で、ステー３３ａの通孔３３ａ４〜３３ａ６と、スライドブラケット３３ｂの通孔３３ｂ２〜３３ｂ５の何れが重なる位置で、互いに重なり合った通孔に鋼製の軸ピン（図示せず）を通して連結することで、同図（Ａ）〜（Ｃ）に示されるリンク機構３３の伸縮位置で、前側パネル３２の張り出し位置を固定することができるようになっている。
【００２０】
また、ベルト部４，４は、図７に示されるように、それぞれ適宜な長さの合成樹脂繊維素材からなる一対の帯状部材同士をラチェット部材４１で一本に接続してなり、ラチェット部材４１を操作して全体の長さを調整できるように設けてある。また、同図に示されるように、前記帯状部材のラチェット部４１の両側の部分には、発泡ポリエチレンなどの弾性素材により筒状に形成された緩衝材４２，４２を被せてあり、両端には前記前側パネル３２の係留部３２ｂに着脱自在に接続するリング部材４３，４３が取り付けてある。
【００２１】
このように構成された本形態の物品拘束具２は、その後側パネル３１の引っ掛けフック３１ａをロールボックスパレット１の背面壁枠１５の横桟１５ａに掛合させて背面壁枠１５に取り付けることにより、長尺物や重量物などを配送に利用するロールボックスパレット１を構成することができる。
【００２２】
このロールボックスパレット１への物品の積み込みと固定は、以下のようにして行うことができる。
先ず、図８に示されるように、ベルト部４，４の一側の端部を前記係留部３２ｂから外した状態で、リンク機構３３を操作して後側パネル３１に対する前側パネル３２の張り出し位置を調整する。このとき、ロールボックスパレット１の底板１２の中央に物品を載せた際に、当該物品の背面に前側パネル３２の前面の緩衝材３２ａが当接する位置となるように、リンク機構３３の伸縮度合を変えて前側パネル３２の位置を調整し、前記当接位置に前側パネル３２を固定する。
次いで、ロールボックスパレット１の底板１２に物品を載せ、外していたベルト部４，４の一側の端部を前側パネル３２の係留部３２ｂ，３２ｂに接続するとともにベルト部４，４を物品の周囲に掛け回す。
その後、ベルト部４，４のラチェット部材４１を操作してベルト部４，４を締め、前側パネル３２に物品を緊縛することにより、底板１２に載せた物品を拘束してロールボックスパレット１内に固定することができる。
【００２３】
そして、ロールボックスパレット１に前面壁枠（図示せず）を取り付けて当該パレットの前側の開口を閉鎖した後、これを配送車両に積み込むなどして配送に供することができる。
これによれば、長尺物や重量物、サイズの異なるこれらの物品であっても、物品拘束具２を操作してロールボックスパレット１の底板中央部の載置位置に簡単且つ正確に位置決めし、底板１２上に載せた物品をベルト部４，４で緊縛して、当初の積み込み位置に保持し安定的に固定した状態で配送することが可能である。受取主先まで配送し、ロールボックスパレット１から物品を取り出したならば、ロールボックスパレット１から物品拘束具２を取り外し、ロールボックスパレット１と分離して物品拘束具２のみを配送することができる。
【００２４】
簡易な操作でロールボックスパレット１の底板中央に物品を積み込んで固定することができるので、ロールボックスパレット１に物品の偏荷重がかかるようなことはなく、また、物品の積み込みや取り出す作業に手間がかからず、積み込む物品のサイズや形状に応じた梱包資材も不要となる。物品拘束具２で物品を固定したロールボックスパレット１内に緩衝材を装填することは任意である。
【００２５】
なお、図示したロールボックスパレット１及び物品拘束具２は、本発明の実施形態の一例を示すものであり、本発明はこれらに限定されず、他の適宜な形態で構成することが可能である。
実施の形態では、ロールボックスパレット１の背面壁枠１５に物品拘束具２を取り付けたが、これに代えて左右側面壁枠１３，１４に取り付けてもよい。また、前側パネル３２の前面に設けた緩衝材３２ａを、そのパネルの前面全体を覆う板状に形成したが、前側パネル３２の前面内で緩衝材３２ａを部分的に設けるようにしてもよい。また、ベルト部４，４の端部が接続する係留部３２ａを後側パネル３１の両側部に設けるようにしてもよい。
【符号の説明】
【００２６】
１  ロールボックスパレット、１１  キャスター、１２  底板、１３，１４  左右側面壁枠、１５  背面壁枠、２  物品拘束具、３  本体部  ３１  後側パネル、３２  前側パネル、３３  リンク機構、４  ベルト部
【図１】
0006054630.tif 000002
【図２】
0006054630.tif 000003
【図３】
0006054630.tif 000004
【図４】
0006054630.tif 000005
【図５】
0006054630.tif 000006
【図６】
0006054630.tif 000007
【図７】
0006054630.tif 000008
【図８】
0006054630.tif 000009
【図９】
0006054630.tif 000010